(57)【要約】      （修正有）【課題】可撓式フラットケーブル構造を提供する。【解決手段】可撓式フラットケーブル構造１００は二つの遮蔽層１１０と、二つの制御層１２０と、二つの第一ペースト層１３０と、二つの介在層１４０と、二つの第二ペースト層１５０と、二つの絶縁層１６０と、少なくとも一つの導体１７０を含み、二つの制御層は二つの遮蔽層の間に設けられ、且つ制御層は非導電性プラスチックとナノ材料により構成され、二つの第一ペースト層は二つの制御層の間に設けられ、二つの介在層は二つの第一ペースト層の間に設けられ、二つの第二ペースト層は二つの介在層の間に設けられ、二つの絶縁層は二つの第二ペースト層の間に設けられ、少なくとも一つの導体は二つの絶縁層に包覆されている。【選択図】図１
0003221124.tif 000002
【実用新案登録請求の範囲】
【請求項１】
可撓式フラットケーブル構造であり、二つの遮蔽層と、二つの制御層と、二つの第一ペースト層と、二つの介在層と、二つの第二ペースト層と、二つの絶縁層と、少なくとも一つの導体とを含み、
二つの前記制御層が二つの前記遮蔽層の間に設けられ、且つ前記制御層が非導電性プラスチックとナノ材料の混合により構成され、
二つの前記第一ペースト層が二つの前記制御層の間に設けられ、
二つの前記介在層が二つの前記第一ペースト層の間に設けられ、
二つの前記第二ペースト層が二つの前記介在層の間に設けられ、
二つの前記絶縁層が二つの前記第二ペースト層の間に設けられ、
なくとも一つの前記導体が二つの前記絶縁層に包覆されていることを特徴とする、可撓式フラットケーブル構造。
【請求項２】
前記遮蔽層が金属層であることを特徴とする、請求項１に記載の可撓式フラットケーブル構造。
【請求項３】
前記金属層がアルミニウム金属層であることを特徴とする、請求項２に記載の可撓式フラットケーブル構造。
【請求項４】
前記非導電性プラスチックがシリコン或いはエポキシ樹脂であることを特徴とする、請求項１に記載の可撓式フラットケーブル構造。
【請求項５】
前記ナノ材料がナノグラファイト、ナノインクボール、ナノグラフェン、ナノ窒化ケイ素、ナノ窒化ホウ素、ナノ窒化アルミニウム或いはそれらの組合せであることを特徴とする、請求項１に記載の可撓式フラットケーブル構造。
【請求項６】
前記第一ペースト層がアクリル粘着剤層であることを特徴とする、請求項１に記載の可撓式フラットケーブル構造。
【請求項７】
前記介在層がポリエチレン層であることを特徴とする、請求項１に記載の可撓式フラットケーブル構造。
【請求項８】
前記第二ペースト層がアクリル粘着剤層であることを特徴とする、請求項１に記載の可撓式フラットケーブル構造。
【請求項９】
前記遮蔽層、前記制御層、前記第一ペースト層、前記介在層、前記第二ペースト層、前記絶縁層、もう一つの前記絶縁層、もう一つの前記第二ペースト層、もう一つの前記介在層、もう一つの前記第一ペースト層、もう一つの前記制御層、もう一つの前記遮蔽層の順に積重なって構成されることを特徴とする、請求項１に記載の可撓式フラットケーブル構造。
【考案の詳細な説明】
【技術分野】
【０００１】
本考案はフラットケーブルに関し、特に制御層が導体により生成される電磁波を削減し、電磁波の二つの遮蔽層の間で反射した後の量を減少させることで、遠端クロストークの問題を改善する可撓式フラットケーブル構造である。
【背景技術】
【０００２】
一般的に言うと、フラットケーブルは通常、絶縁層とその他の層で包覆された導体を備え、導体自身が電磁波を生成する。
【０００３】
つまり、導体が生成した電磁波は上下二層の遮蔽層を経由し、フラットケーブル内で反射する。しかし、フラットケーブル内の導体の数は一つとは限らないので、反射中の電磁波はその他の導体に影響を及ぼす可能性があり、故に遠端クロストークの問題を引起こす。
【０００４】
故に、どのように遠端クロストークの問題を克服するかは、関連産業における急務の課題である。
【考案の概要】
【考案が解決しようとする課題】
【０００５】
上述の周知の問題を鑑みると、本考案の目的は可撓式フラットケーブル構造を用い、周知技術において生じる問題を解決することである。
【０００６】
上述の目的に基づき、本考案は可撓式フラットケーブル構造を提供し、可撓式フラットケーブル構造は二つの遮蔽層と、二つの制御層と、二つの第一ペースト層と、二つの介在層と、二つの第二ペースト層と、二つの絶縁層と、少なくとも一つの導体を含み、二つの制御層は二つの遮蔽層の間に設けられ、且つ二つの制御層は非導電性プラスチックとナノ材料の混合により構成され、二つの第一ペースト層は二つの制御層の間に設けられ、二つの介在層は二つの第一ペースト層の間に設けられ、二つの第二ペースト層は二つの介在層の間に設けられ、二つの絶縁層は二つの第二ペースト層の間に設けられ、少なくとも一つの導体は二つの絶縁層に包覆されている。
【０００７】
好ましくは、遮蔽層は金属層である。
【０００８】
好ましくは、金属層はアルミニウム金属層である。
【０００９】
好ましくは、非導電性プラスチックはシリコン或いはエポキシ樹脂である。
【００１０】
好ましくは、ナノ材料はナノグラファイト、ナノインクボール、ナノグラフェン、ナノ窒化ケイ素、ナノ窒化ホウ素、ナノ窒化アルミニウム或いはその組合せである。
【００１１】
好ましくは、第一ペースト層はアクリル粘着剤層である。
【００１２】
好ましくは、介在層はポリエチレン層である。
【００１３】
好ましくは、第二ペースト層はアクリル粘着剤層である。
【００１４】
好ましくは、本考案の可撓式フラットケーブル構造は遮蔽層、制御層、第一ペースト層、介在層、第二ペースト層、絶縁層、もう一つの絶縁層、もう一つの第二ペースト層、もう一つの介在層、もう一つの第一ペースト層、もう一つの制御層、もう一つの遮蔽層の順に積重なって構成される。
【００１５】
本考案の可撓式フラットケーブル構造は、制御層が導体により生成される電磁波を削減し、電磁波の二つの遮蔽層の間で反射した後の量を減少させることで、遠端クロストークの問題を改善する効果を達成させる。
【図面の簡単な説明】
【００１６】
【図１】本考案の可撓式フラットケーブル構造の断面見取図である。
【図２】本考案の可撓式フラットケーブル構造の制御層を備えていない場合の実験テストの見取図である。
【図３】本考案の可撓式フラットケーブル構造の制御層を備えた場合の実験テストの見取図である。
【考案を実施するための形態】
【００１７】
本考案の特徴と内容、利点及びそれが達する効果に対する理解に資する為、図面と合わせた実施例を紹介することで、以下に本考案を詳述する。図面は考案者の意図の反映のため、及び説明を補助するために用いられるのみで、本考案を実施する際の比率、配置等を制限するものではなく、故に図面上の比率や配置によって本考案の権利範囲が制限されるべきではない。
【００１８】
本考案の特徴と内容、利点及びそれが達する効果は、以下の図面と合わせた実施例の詳述により、容易に理解が可能である。本考案はあらゆる形式での実施が可能であり、実施形式は以下に記載する実施例に制限されない。また、以下の実施例は、当業者による本考案の範囲の正確な理解に資することが目的であり、本考案は後付の実用新案登録請求の範囲により定義される。
【００１９】
図1は本考案の可撓式フラットケーブル構造の断面見取図である。図１に示すように、本考案の可撓式フラットケーブル構造１００は二つの遮蔽層１１０と、二つの制御層１２０と、二つの第一ペースト層１３０と、二つの介在層１４０と、二つの第二ペースト層１５０と、二つの絶縁層１６０と、少なくとも一つの導体１７０とを含む。
【００２０】
これに続いて、上述に示された二つの前記制御層１２０は二つの前記遮蔽層１１０の間に設けられ、且つ前記制御層１２０は非導電性プラスチックとナノ材料の混合により構成される。
【００２１】
更に詳しく説明すると、非導電性プラスチックはシリコン或いはエポキシ樹脂とすることができ，ナノ材料はナノグラファイト、ナノインクボール、ナノグラフェン、ナノ窒化ケイ素、ナノ窒化ホウ素、ナノ窒化アルミニウム或いはそれらの組合せとすることができる。その内、ナノカーボンに関するナノ材料は膠着或いは蒸着の方法で形成することができるが，これに限らない。
【００２２】
上述をまとめると、非導電性プラスチックとナノ材料の混合物は特殊な製作過程を経た後、六角形で成る緊密陳列構造に形成され、六角形で成る緊密陳列構造はノイズとクロストークに対する良好な抑制と防止効果を備える。
【００２３】
二つの前記第一ペースト層１３０は二つの前記制御層１２０の間に設けられ、二つの前記介在層１４０は二つの前記第一ペースト層１３０の間に設けられ、二つの前記第二ペースト層１５０は二つの前記介在層１４０の間に設けられ、二つの前記絶縁層１６０は二つの前記第二ペースト層１５０の間に設けられ、少なくとも一つの前記導体１７０は二つの前記絶縁層１６０に包覆されている。
【００２４】
これにより、本考案の前記可撓式フラットケーブル構造１００は前記遮蔽層１１０、前記制御層１２０、前記第一ペースト層１３０、前記介在層１４０、前記第二ペースト層１５０、前記絶縁層１６０、もう一つの前記絶縁層１６０、もう一つの前記第二ペースト層１５０、もう一つの前記介在層１４０、もう一つの前記第一ペースト層１３０、もう一つの前記制御層１２０、もう一つの前記遮蔽層１１０の順に積重なって構成される。つまり、少なくとも一つの前記導体１７０は前記絶縁層１６０ともう一つの前記絶縁層１６０の間に設けられ、二つの前記絶縁層１６０により包覆されている。
【００２５】
上述に続いて、前記導体１７０が生成する電磁波が前記制御層１２０を経過して前記遮蔽層１１０に到達し、或いは前記遮蔽層１１０を経て反射して再度前記制御層１２０を経過する際、この電磁波は前記制御層１２０により削減され、その他前記導体１７０が生成する遠端クロストークの影響を軽減する。
【００２６】
図２と図３を参照すると、図２は本考案の可撓式フラットケーブル構造の制御層を備えていない場合の実験テストの見取図であり、図３は本考案の可撓式フラットケーブル構造の制御層を備えた場合の実験テストの見取図である。その内、図２に示されているのは、制御層を備えていない場合の実験テストの周波数特性グラフであり、図３に示されているのは制御層を備えた場合の実験テストの周波数特性グラフである。
【００２７】
表一
0003221124.tif 000003
【００２８】
表一に示されている実験テストのデータによれば、各組のテストの初期周波数及び終了時周波数において、点P０の数値はどれも制御層を備えていない可撓式フラットケーブル構造より制御層を備えた可撓式フラットケーブル構造の方が優れている。このことから分かるように、制御層の設置は遠端クロストークを確実に軽減させることができる。
【００２９】
補足して説明すると、上述の前記遮蔽層１１０は金属層とすることができ、更にはアルミニウム金屬層とすることができ、前記第一ペースト層１３０はアクリル粘着剤層とすることができ、前記介在層１４０はポリエチレン層とすることができ、前記第二ペースト層１５０はアクリル粘着剤層とすることができる。しかし、上述は例として挙げるのみであり、これにより本考案を限定するわけではない。
【００３０】
以上をまとめると、本考案の可撓式フラットケーブル構造は、制御層が導体により生成される電磁波を削減し、電磁波の二つの遮蔽層の間で反射した後の量を減少させることで、遠端クロストークの問題を改善する効果を達成する。
【００３１】
上述に本考案の特徴と利点を体現するいくつかの典型的実施例を説明したが、その目的は当業者の本考案の内容に対する理解に資する事であり、本考案を制限するものではなく、考案は当業者であれば諸般の修飾が可能であるが、そのいずれも本考案の範囲を脱せず、いずれも後付の実用新案登録請求の範囲の保護範囲に含まれる。
【符号の説明】
【００３２】
１００：可撓式フラットケーブル構造
１１０：遮蔽層
１２０：制御層
１３０：第一ペースト層
１４０：介在層
１５０：第二ペースト層
１６０：絶縁層
１７０：導体
【図１】
0003221124.tif 000004
【図２】
0003221124.tif 000005
【図３】
0003221124.tif 000006
【手続補正書】
【提出日】平成31年2月22日(2019.2.22)
【手続補正１】
【補正対象書類名】実用新案登録請求の範囲
【補正対象項目名】全文
【補正方法】変更
【補正の内容】
【実用新案登録請求の範囲】
【請求項１】
可撓式フラットケーブル構造であり、二つの遮蔽層と、二つの制御層と、二つの第一ペースト層と、二つの介在層と、二つの第二ペースト層と、二つの絶縁層と、少なくとも一つの導体とを含み、
二つの前記制御層が二つの前記遮蔽層の間に設けられ、且つ前記制御層が非導電性プラスチックとナノ材料の混合により構成され、
二つの前記第一ペースト層が二つの前記制御層の間に設けられ、
二つの前記介在層が二つの前記第一ペースト層の間に設けられ、
二つの前記第二ペースト層が二つの前記介在層の間に設けられ、
二つの前記絶縁層が二つの前記第二ペースト層の間に設けられ、
少なくとも一つの前記導体が二つの前記絶縁層に包覆されていることを特徴とする、可撓式フラットケーブル構造。
【請求項２】
前記遮蔽層が金属層であることを特徴とする、請求項１に記載の可撓式フラットケーブル構造。
【請求項３】
前記金属層がアルミニウム金属層であることを特徴とする、請求項２に記載の可撓式フラットケーブル構造。
【請求項４】
前記非導電性プラスチックがシリコン或いはエポキシ樹脂であることを特徴とする、請求項１に記載の可撓式フラットケーブル構造。
【請求項５】
前記ナノ材料がナノグラファイト、ナノインクボール、ナノグラフェン、ナノ窒化ケイ素、ナノ窒化ホウ素、ナノ窒化アルミニウム或いはそれらの組合せであることを特徴とする、請求項１に記載の可撓式フラットケーブル構造。
【請求項６】
前記第一ペースト層がアクリル粘着剤層であることを特徴とする、請求項１に記載の可撓式フラットケーブル構造。
【請求項７】
前記介在層がポリエチレン層であることを特徴とする、請求項１に記載の可撓式フラットケーブル構造。
【請求項８】
前記第二ペースト層がアクリル粘着剤層であることを特徴とする、請求項１に記載の可撓式フラットケーブル構造。
【請求項９】
前記遮蔽層、前記制御層、前記第一ペースト層、前記介在層、前記第二ペースト層、前記絶縁層、もう一つの前記絶縁層、もう一つの前記第二ペースト層、もう一つの前記介在層、もう一つの前記第一ペースト層、もう一つの前記制御層、もう一つの前記遮蔽層の順に積重なって構成されることを特徴とする、請求項１に記載の可撓式フラットケーブル構造。